(57)【要約】【課題】扉には電装品が配置され、扉の内部に束線が通っていても、観音開き扉から片開き扉への変更や、片開き扉から観音開き扉への変更が可能な冷蔵庫を提供することを課題とする。【解決手段】冷蔵庫は、冷蔵室を開閉する右扉８および左扉７からなる観音開き扉と、を備える。右扉８および左扉７のうちの一方の扉に、電装品と、この電装品に接続する束線とが集約して配置されている。右扉８および左扉７のうちの他方の扉には、電装品が非配置にされている。本体１Ａには、一方の扉の回動中心軸Ｃに隣接する部位に、束線と着脱可能に接続する束線接続部５０が配置されており、観音開き扉が片開き扉に交換可能な構造にされている。【選択図】図２
2019152354.tif 000002
【特許請求の範囲】
【請求項１】
冷蔵室を有する本体と、前記冷蔵室の前面側の開口部を開閉する右扉および左扉からなる観音開き扉と、を備え、
前記右扉および前記左扉のうちの一方の扉に、電装品と、該電装品に接続する束線とが集約して配置され、
前記右扉および前記左扉のうちの他方の扉には、電装品が非配置にされ、
前記本体には、前記一方の扉の回動中心軸に隣接する部位に、前記束線と着脱可能に接続する束線接続部が配置され、
前記観音開き扉が片開き扉に交換可能な構造にされている冷蔵庫。
【請求項２】
前記右扉と前記左扉とを開けるための開扉ボタンが前記電装品として配置され、
前記開扉ボタンが一定時間以下で押された場合には、前記右扉および前記左扉の片方を開くように指令し、前記開扉ボタンが一定時間を超えて押された場合には、前記右扉および前記左扉のもう片方を開くように指令する制御部を備える請求項１に記載の冷蔵庫。
【請求項３】
前記右扉と前記左扉とを開けるための開扉ボタンが前記電装品として配置され、
前記開扉ボタンが規定時間内に一定回数以下で押された場合には、前記右扉および前記左扉のうちの設定された片方の扉を開くように指令し、前記開扉ボタンが規定時間内に一定回数を超えて押された場合には、前記右扉および前記左扉のうちの設定されたもう片方の扉を開くように指令する制御部を備える請求項１に記載の冷蔵庫。
【請求項４】
冷蔵室を有する本体と、前記本体の前記冷蔵室の前面開口部を開閉する片開き扉と、を備え、
前記片開き扉に、電装品と、該電装品に接続する束線とが配置され、
前記本体には、前記片開き扉の回動中心軸に隣接する部位に、前記束線と着脱可能に接続する束線接続部が配置され、
前記片開き扉が観音開き扉に交換可能な構造にされている冷蔵庫。
【請求項５】
前記冷蔵庫の機能を表示する表示パネル部が前記電装品として配置され、
前記表示パネル部には、湿度センサが前記電装品として配置されている請求項１〜４の何れか１項に記載の冷蔵庫。
【請求項６】
前記湿度センサは、前記表示パネル部の操作基板に搭載されている請求項５に記載の冷蔵庫。
【発明の詳細な説明】
【技術分野】
【０００１】
本発明の実施の形態は、冷蔵庫に関する。
【背景技術】
【０００２】
冷蔵庫には、冷蔵室の扉が観音開き扉であるタイプと、片開き扉であるタイプとの２種類のタイプがある。観音開き扉は、冷蔵庫の本体にそれぞれヒンジを介して開閉可能に取り付けられ、片開き扉は、本体にヒンジを介して開閉可能に取り付けられている。
【０００３】
使用者が観音開き扉の冷蔵庫を一度購入した後に、引っ越し等で住居の構造が変わる等により、ライフスタイルに変化が生じる場合がある。しかし、従来の観音開き扉の冷蔵庫と、片開き扉の冷蔵庫とでは、扉に配置されている電装品とその束線の配置形式が異なる。このため、観音開き扉から片開き扉へ変えたり、逆に片開き扉から観音開き式を変えることができない構造になっている。
【０００４】
例えば、観音開き扉の冷蔵庫では、左扉の内部と右扉の内部に、それぞれ電装品であるタッチオープンボタンが配置されている。これらの左右のタッチオープンボタンは、使用者が左扉と右扉をそれぞれ自動で開けるために、指でタッチするようになっている。また、例えば左扉には、電装品である表示パネル部が配置され、右扉には電装品である湿度センサが配置されている。
【０００５】
左扉のタッチオープンボタンと、表示パネル部とは、左扉内に配置された束線を用いて本体側に電気的に接続されている。同様にして、右扉のタッチオープンボタンと、湿度センサとは、右扉内に配置された束線を用いて本体側に電気的に接続されている。
【０００６】
また、片開き扉の冷蔵庫の場合には、扉には例えば電装品であるタッチオープンボタンと表示パネル部と、タッチオープンボタンの束線と、表示パネル部の束線とが、配置されている。各束線は、扉の内部を通って本体側に電気的に接続されている。
【先行技術文献】
【特許文献】
【０００７】
【特許文献１】特開２００７−７１４６５号公報
【発明の概要】
【発明が解決しようとする課題】
【０００８】
従来の観音開き扉の冷蔵庫では、左扉と右扉にそれぞれ電装品と、電装品の束線とが配置されている。そして、使用者のライフスタイルに変化が生じても、これらの観音開き扉を、片開き扉に単純に交換することができない。
【０００９】
本発明は、上記に鑑みてなされたもので、その目的とするところは、扉には電装品が配置され、扉の内部に束線が通っていても、観音開き扉から片開き扉への変更や、片開き扉から観音開き扉への変更が可能な冷蔵庫を提供することにある。
【課題を解決するための手段】
【００１０】
本発明の実施の形態の冷蔵庫は、冷蔵室を有する本体と、前記冷蔵室の前面側の開口部を開閉する右扉および左扉からなる観音開き扉と、を備え、前記右扉および前記左扉のうちの一方の扉に、電装品と、該電装品に接続する束線とが集約して配置され、前記右扉および前記左扉のうちの他方の扉には、電装品が非配置にされ、前記本体には、前記一方の扉の回動中心軸に隣接する部位に、前記束線と着脱可能に接続する束線接続部が配置され、前記観音開き扉が片開き扉に交換可能な構造にされている。
【図面の簡単な説明】
【００１１】
【図１】本発明の実施形態の冷蔵庫の全体を示す正面図である。
【図２】図１に示す冷蔵庫の観音開き扉を示している斜視図である。
【図３】冷蔵庫の電気的な配線等を示すブロック図である。
【図４】片開き扉を有する冷蔵庫の例を示す正面図である。
【図５】湿度センサが表示パネル部の表示装置に設置されている例を示す側面断面図である。
【図６】湿度センサが表示パネル部の操作基板に設置されている例を示す側面断面図である。
【発明を実施するための形態】
【００１２】
以下、図面を用いて、実施するための形態（以下、実施形態と称する）を説明する。以下の説明では、右扉に電装品が配置され、左扉には電装品が非配置にされている例で説明するが、右扉に電装品が非配置で、左扉に電装品が配置されている例であってももちろん適用可能である。
【００１３】
図１は、実施形態の冷蔵庫の全体を示す正面図である。図１に示す冷蔵庫１は、本体１Ａを有している。この冷蔵庫１の本体１Ａは、断熱性を有するキャビネットにより構成されていて、内部に複数の貯蔵室が形成されている。貯蔵室としては、上から順に冷蔵室２、野菜室３が設けられ、この野菜室３の下には製氷室４と小冷凍室５が左右の並べて設けられ、最下部に主冷凍室６が設けられている。
【００１４】
このうち、上部の冷蔵室２と野菜室３は、冷蔵温度帯の貯蔵室であり、約３℃から５℃の温度に調整される。また、製氷室４と小冷凍室５と主冷凍室６は、冷凍温度帯の貯蔵室であり、約−２０℃前後の温度に調整される。
【００１５】
本体１Ａには、図示しないが、冷蔵温度帯の貯蔵室を冷却するための冷蔵用冷却器と、冷凍温度帯の貯蔵室を冷却するための冷凍用冷却器とを含む冷凍サイクルが設けられている。
【００１６】
図２は、図１に示す冷蔵庫１の左扉７および右扉８を主に示している斜視図である。図１、図２に示すように、本体１Ａの冷蔵室２の前面には、冷蔵室２の前面開口部を開閉する左扉７と右扉８が設けられている。左扉７および右扉８は、観音開き扉である。以下、説明の都合上、左扉７と右扉８との組み合わせを、適宜に「観音開き扉７、８」とも言う。また、説明の簡単化のため、左扉や右扉を単に「扉」と言うこともある。
【００１７】
図１と図２に示すように、左扉７の外端部７Ｃが、ヒンジ部７Ｂと、下部の支持部７Ｈとにより、本体１Ａに対して回動可能に取り付けられている。同様にして、右扉８の外端部８Ｃが、ヒンジ部８Ｂと、下部の支持部８Ｈとにより、本体１Ａに回動可能に取り付けられている。
【００１８】
図１に示すように、野菜室３、製氷室４、小冷凍室５、主冷凍室６の各前面には、各前面開口部を開閉する引出し式の扉９，１０，１１，１２が設けられている。
【００１９】
図１に示すように、好ましくは観音開き扉７、８と引出し式の扉９，１０，１１，１２の各前面には、前面側の見栄えを良くするために、透光性を有するガラス板である前面板７Ａ，８Ａ，９Ａ，１０Ａ，１１Ａ，１２Ａが配置されている。観音開き扉７,８と、引出し式の扉９，１０，１１，１２とは、内部に断熱材を設けることで断熱性を有している。
【００２０】
なお、図２では、野菜室３、製氷室４、小冷凍室５、主冷凍室６と、引出し式の扉９，１０，１１，１２は、図示を省略している。
【００２１】
図２に示すように、左扉７の外端部７Ｃは、扉取付部としてのヒンジ部７Ｂと下部の支持部７Ｈとにより、回動中心軸Ｃを中心にＰ１方向に開くことができる。例えば左扉７の下端部７Ｄは、取っ手部７Ｇを有している。
【００２２】
図２に示すように、右扉８の外端部８Ｃは、扉取付部としてのヒンジ部８Ｂと下部の支持部８Ｈとにより、回動中心軸Ｃを中心にＰ２方向に開くことができる。例えば右扉８の下端部８Ｄは、取っ手部８Ｇを有している。ただし、取っ手部７Ｇと取っ手部８Ｇは、観音開き扉７、８の内端部７Ｆ,８Ｆ側に、それぞれ設けても良い。
【００２３】
図１と図２に示す例では、ヒンジ部７Ｂ,８Ｂは、本体１Ａの天面１Ｂに配置されている。左扉７には、電装品やこの電装品のための電気的な接続用の束線は、配置されていない（非配置）。これに対して、右扉８には、電装品やこの電装品のための電気的な接続用の束線が、集約して配置されている。すなわち、観音開き扉７、８に関係する電装品とその束線は、すべて右扉８に集約することで、纏められている。束線は、電気配線やワイヤーハーネス等とも呼ぶことができる。
【００２４】
図１と図２に示す例では、右扉８は、電装品の例として、表示パネル部２０と、タッチオープンボタン３０（開扉ボタン）と、湿度センサ４０とを有している。表示パネル部２０と、タッチオープンボタン３０と、湿度センサ４０とは、右扉８の内部に配置されている。右扉８は、ガラス板である前面板８Ａを備えているので、表示パネル部２０と、タッチオープンボタン３０と、湿度センサ４０とは、前面板８Ａの内面側に配置されている。
【００２５】
図２に示す表示パネル部２０は、操作パネルユニット等とも呼ぶことができる。表示パネル部２０の構成例を説明すると、表示パネル部２０は、例えば操作領域２０Ｐと、表示領域２０Ｑとを有している。
【００２６】
操作領域２０Ｐにタッチすることで、各種の動作機能を操作することができる。また、表示領域２０Ｑは、冷蔵庫１の各種の動作機能を表示する。
【００２７】
例えば操作領域２０Ｐは、複数のタッチ式の操作ボタンを有している。操作ボタンは、例えば使用者が指で触れることで操作できる静電容量変化型のボタンである。操作ボタンとしては、例えば、「冷蔵」ボタンや「冷凍」ボタンや「製氷」ボタンや「節電」ボタン等である。各操作ボタンは、使用者が冷蔵庫１の機能を調整するために設けられている。これらの操作ボタンの種類の数や組み合わせは、特に限定されない。
【００２８】
例えば表示領域２０Ｑは、複数の表示部を有する。表示部としては、例えば冷凍機能表示部や製氷機能表示部や節電機能表示部やエコモード表示部や半ドア表示部等である。これらの表示部は、冷蔵庫１の機能を表示する。これらの表示部の数や種類の組み合わせは、特に限定されない。
【００２９】
図１と図２に示すように、表示パネル部２０は、好ましくは右扉８の内端部８Ｆ寄りの位置で、しかもＺ方向に沿って配置されている。このＺ方向とは、冷蔵庫１の上下方向である。
【００３０】
図２に示すタッチオープンボタン３０は、例えば使用者が指で触れることで操作できる静電容量変化型の開扉用のボタンである。タッチオープンボタン３０は、使用者が指で触れると静電容量が変化して、左扉７あるいは右扉８を自動的に開扉するための信号を発生する。このタッチオープンボタン３０は、好ましくは右扉８の内端部８Ｆ寄りの位置で、しかも表示パネル部２０の下部の位置に配置されている。
【００３１】
図２に示す湿度センサ４０は、冷蔵室２内の湿度を検知する。湿度センサ４０は、例えば取っ手部８Ｇの付近であって、右扉８の下端部８Ｄ寄りの位置に配置されている。
【００３２】
図２に示すように、右扉８の内部には、破線で示すように、束線２１と、束線３１と、束線４１とが配置されている。また、本体１Ａには、右扉８の回動中心軸Ｃに隣接する部位（例えばヒンジ部８Ｂに隣接する部位）には、束線と着脱可能に接続する束線接続部５０が配置されている。束線２１は、表示パネル部２０と束線接続部５０とを電気的に接続している。束線３１は、タッチオープンボタン３０と束線接続部５０とを電気的に接続している。束線４１は、湿度センサ４０と束線接続部５０とを電気的に接続している。
【００３３】
束線２１の接続端部２１Ｒと束線３１の接続端部３１Ｒと束線４１の接続端部４１Ｒとは、それぞれ電気的コネクタである。各接続端部２１Ｒ,３１Ｒ,４１Ｒは、束線接続部５０に対して簡単に着脱でき、電気的に接続可能になっている。
【００３４】
図２に示すように、束線接続部５０は、本体１Ａの天面１Ｂに配置されている。束線接続部５０は、好ましくはヒンジ部８Ｂの近くに配置されている。
【００３５】
そして開扉装置６１，６２が、本体１Ａの天面１Ｂに配置されている。開扉装置６１，６２としては、例えばプッシュロッドを有する電磁ソレノイド等を用いることができる。使用者が１つのタッチオープンボタン３０の押し方を変えることで、開扉装置６１あるいは開扉装置６２は、電磁ソレノイドのプッシュロッドを突出させる。従って、使用者は、左扉７あるいは右扉８を、選択的に押して自動的に開扉することができる。これにより、１つのタッチオープンボタン３０を片側の例えば右扉８に配置すれば、観音開き扉７、８のいずれも選択的に開扉することができる。
【００３６】
また、図３は、冷蔵庫１の電気ブロック例を示している。図３に示すように、本体１Ａには、制御部１００が配置されている。この制御部１００は、冷蔵庫１の各種の動作や表示等の制御を行う。右扉８の表示パネル部２０と、タッチオープンボタン３０と、湿度センサ４０とは、束線２１、３１、４１と束線接続部５０とを介して、制御部１００に電気的に接続されている。束線２１，３１，４１は、束線接続部５０に対して、接続端部２１Ｒ,３１Ｒ,４１Ｒで着脱可能に接続されている。
【００３７】
ここで、図３を参照して、観音開き扉７、８の開扉操作の例について、説明する。
【００３８】
制御部１００は、操作時間判断部１１０を有する。操作時間判断部１１０は、開扉装置６１，６２に対して電気的に接続されている。
【００３９】
１つのタッチオープンボタン３０が右扉８に配置され、これ以外にタッチオープンボタンは配置されていないので、左扉７、右扉８をそれぞれ自動的に開けるためには、タッチオープンボタン３０は、次のようにして、異なる開扉信号を発生する。
【００４０】
使用者が、指によりタッチオープンボタン３０を一定時間以下の操作時間だけ押す。この一定時間とは、例えば１秒間であるが、特に限定されない。
【００４１】
操作時間判断部１１０が、タッチオープンボタン３０の押された時間を一定時間以下であることを判断すると、操作時間判断部１１０は、片方の扉の開扉装置だけ、例えば左扉７の開扉装置６１だけを動作させるように指令する。これにより、右扉８を開けずに左扉７だけを自動的に押し開くことができる。
【００４２】
また、使用者が、指によりタッチオープンボタン３０を、一定時間を超えた操作時間だけ押す。操作時間判断部１１０が、タッチオープンボタン３０の押された時間を一定時間超えたと判断すると、操作時間判断部１１０は、もう片方の扉の開扉装置だけ、例えば右扉８の開扉装置６２だけを動作させるように指令する。これにより、右扉８だけを自動的に押し開くことができる。
【００４３】
このように、左扉７にはタッチオープンボタンは設けずに、右扉８だけに１つのタッチオープンボタン３０を設けている。このため、使用者が、１つのタッチオープンボタン３０をタッチする時間を変えるだけで、左扉７、右扉８の何れかを選択して自動的に開扉することができる。これにより、冷蔵庫１が観音開き扉７、８を有していても、タッチオープンボタン３０の設定数が、１つで済む。このため、部品点数の削減と、右扉８の組み立て工数の削減と、コスト低減とが図られる。
【００４４】
＜観音開き扉を片開き扉に取り替える例＞
図４は、片開き扉２００が取り付けられた冷蔵庫２０１の正面図である。図４に示す片開き扉２００は、電装品の例として、表示パネル部２２０と、タッチオープンボタン２３０とを有している。表示パネル部２２０と、タッチオープンボタン２３０とは、片開き扉２００の内部に配置されている。片開き扉２００は、好ましくはガラス板である前面板２００Ａを備えているので、表示パネル部２２０と、タッチオープンボタン２３０とは、前面板２００Ａの内面側に配置されている。図４に示す表示パネル部２２０とタッチオープンボタン２３０とは、それぞれ、図２に示した表示パネル部２０とタッチオープンボタン３０と同様のものである。
【００４５】
冷蔵庫２０１には、表示パネル部２２０と、タッチオープンボタン２３０と、束線２２１と、束線２３１とが、片開き扉２００に配置されている。束線２２１の接続端部２２１Ｒと束線２３１の接続端部２３１Ｒとは、束線接続部５０に対して、電気的に接続可能になっている。束線２２１の接続端部２２１Ｒと束線２３１の接続端部２３１Ｒとは、電気的コネクタであり、束線接続部５０に対して着脱可能に電気的に接続することができる。
【００４６】
次に、図１と図２に示す冷蔵庫１から左扉７と右扉８を取り外して、図４に例示するように、片開き扉２００に取り換える例を説明する。
【００４７】
例えば観音開きの冷蔵庫１を使用していて、例えば使用者が引っ越し等で住居の構造が変わる等により観音開きの冷蔵庫１を設置する場所の状況が変わることがある。この場合には、冷蔵庫の設置場所によっては、左扉７と右扉８を有する観音開きの冷蔵庫ではなく、片開き扉２００を有する冷蔵庫の方が使用勝手が良いことがあり、使用者は、左扉７と右扉８を、片開き扉２００に変更したいことがある。
【００４８】
そこで、使用者または工事者は、図１に示す冷蔵庫１の左扉７と右扉８とを外して、代わりに図４に示す片開き扉２００に変更して取り付ける作業を行う。
【００４９】
使用者または工事者は、図１に示す本体１Ａのヒンジ部７Ｂと下部の支持部７Ｈから左扉７を外す。この際、左扉７には、電装品と電装品の束線は配置されていないので、電装品と電装品の束線については全く配慮をする必要がなく、本体１Ａから左扉７を簡単に取り外せる。
【００５０】
次に右扉８を外す。右扉８には、表示パネル部２０と、タッチオープンボタン３０と、湿度センサ４０と、束線２１と、束線３１と、束線４１とが配置されている。上述したように、束線２１の接続端部２１Ｒと束線３１の接続端部３１Ｒと束線４１の接続端部４１Ｒは、束線接続部５０に対して着脱可能に接続されている。
【００５１】
このため、束線２１の接続端部２１Ｒと束線３１の接続端部３１Ｒと束線４１の接続端部４１Ｒは、束線接続部５０から簡単に取り外せる。従って、使用者または工事者は、右扉８を本体１Ａのヒンジ部８Ｂと下部の支持部８Ｈから、簡単に取り外せる。
【００５２】
次に、片開き扉２００（図４参照）を冷蔵庫１に取り付ける。片開き扉２００の端部２００Ｔは、ヒンジ部８Ｂと下部の支持部８Ｈに対して取り付ける。片開き扉２００の束線２２１の接続端部２２１Ｒと束線２３１の接続端部２３１Ｒは、束線接続部５０に対して簡単に接続することができる。この結果、図４に示した冷蔵庫２０１とすることができる。
【００５３】
このように、冷蔵庫１では、電装品と電装品の束線とが、左扉７と右扉８のうちの例えば右扉８側に集約して纏めるように配置されている。このため、冷蔵庫１は、左扉７と右扉８（観音開き扉）から片開き扉２００へ、簡単に変更することができる。
【００５４】
以上説明したように、実施形態の冷蔵庫１は、冷蔵室２を有する本体１Ａと、本体１Ａの冷蔵室２の前面開口部を開閉する左扉７（一方の扉）と右扉８（他方の扉）からなる観音開き扉を備える。例えば電装品として表示パネル部２０と、タッチオープンボタン３０と、湿度センサ４０と、電装品の束線２１，３１，４１が、観音開き扉７、８のいずれかだけに、集約して配置されている。例えば右扉８には電装品として表示パネル部２０と、タッチオープンボタン３０と、湿度センサ４０とが配置され、右扉８の内部に束線２１，３１，４１が通っている。
【００５５】
従って、引っ越し等で住居の構造が変わる等、使用者のライフスタイルが変わった場合には、新しいライフスタイルに合わせて、観音開き扉７、８から片開き扉２００へ交換することができ、また、逆に、片開き扉２００から観音開き扉７、８に交換することができる。
【００５６】
また、本体１Ａは、観音開き扉７、８（左扉７および右扉８）を、片開き扉２００に交換可能な扉取付部であるヒンジ部８Ｂと下部の支持部８Ｈとを有する。これにより、観音開き扉７、８から片開き扉２００への交換や、片開き扉２００から観音開き扉７、８への交換の作業を短時間で容易に行うことができる。
【００５７】
また、タッチオープンボタン３０が配置され、タッチオープンボタン３０が一定時間以下で押された場合には、左扉７と右扉８のうちの片方を開き、タッチオープンボタン３０が一定時間を超えて押された場合には、左扉７と右扉８のうちのもう片方を開ように指令する制御部１００を有する。これにより、１つのタッチオープンボタン３０を配置するだけで、観音開き扉７、８のうちの片方の扉を開くことができる。このため、扉の部品点数の削減と、扉の組み立て工数の削減と、コスト低減とが図られる。
【００５８】
なお、制御部１００は、タッチオープンボタン３０の押された時間で制御するのではなく、タッチオープンボタン３０が規定時間内に一定回数以下で押された場合には左扉７と右扉８のうちの片方を開き、タッチオープンボタン３０が規定時間内に一定回数を超えて押された場合には左扉７と右扉８のうちのもう片方の扉を開くように制御してもよい。
【００５９】
また、実施形態では、１箇所の束線接続部５０に３つの接続端部２１Ｒ、３１Ｒ、４１Ｒが接続する構成で説明したが、束線２１、３１、４１が１つの接続端部にまとめられ、この１つの接続端部が束線接続部５０に着脱可能に接続する構成にしてもよい。これにより、束線接続部５０の小型化と、扉の着脱作業の時間短縮とを図ることができる。
【００６０】
＜温度センサの具体例１＞
図５は、湿度センサ４０が、表示パネル部２０の表示装置２０Ｍに設置されている例を示している。操作基板２０Ｎは、例えばバックライト照明用の例えば発光ダイオード７０と、タッチセンサ８０を搭載している。ここで、湿度センサ４０が表示装置２０Ｍとは別ユニットにされている。従って、表示装置２０Ｍにはめ込むことで組立てることが可能になり、組立て作業の作業時間が短縮されている。
【００６１】
図５では、湿度センサ４０が表示パネル部２０に設置されている。仮に、湿度センサが表示パネル部とは別の位置に設置されていたとすると、湿度センサを扉内に固定するための部品と、束線とが別途必要になる。
【００６２】
本具体例では、湿度センサ４０が表示パネル部２０に設置されていることで、湿度センサ専用の部品と束線とを右扉８の内部に別途配置する必要が無くなる。このため、右扉８の部品点数の削減と、右扉８の組み立て工数の削減と、コスト低減とが図られる。
【００６３】
また、仮に、湿度センサが表示パネル部とは別の位置の右扉内部に設置されていると、湿度センサを右扉に設置する際には、右扉に設けた孔を通じて右扉の内部に設置する。このため、湿度センサは、右扉内の断熱材の一部を除去して配置して、その孔を塞ぐ蓋を別途取り付ける作業が必要である。
【００６４】
本具体例では、図５に示すように湿度センサ４０が表示パネル部２０に設置されることで、そのような断熱材の一部を除去することや蓋を準備することが不要になる。しかも、断熱材は部分的に除去しなくて済むので、断熱材は右扉内部に隙間なく充填でき、右扉８の断熱性を上げることができる。
【００６５】
＜温度センサの具体例２＞
図６は、湿度センサ４０が、表示パネル部２０の操作基板２０Ｎに配置されている例を示している。図６では、湿度センサ４０が、表示パネル部２０の操作基板２０Ｎに配置されている。これにより、湿度センサ４０は、操作基板２０Ｎに、一体化して固定して電気的に接続できる。このように湿度センサ４０が表示パネル部２０の操作基板２０Ｎに設置されていると、湿度センサ専用の部品と束線とを右扉内部に別途配置する必要が無くなる。このため、右扉８の部品点数の削減と、右扉８の組み立て工数の削減と、コスト低減とが図られる。
【００６６】
仮に、湿度センサが、表示パネル部２０とは別の位置である扉の内部に設置されていると、湿度センサを扉に設置する際には、扉に設けた孔を通じて扉の内部に設置する。このため、湿度センサは、扉内の断熱材の一部を除去して配置して、その孔を塞ぐ蓋を別途取り付ける作業が必要である。
【００６７】
本具体例では、図６に示すように、湿度センサ４０が表示パネル部２０の操作基板２０Ｎに設置されることで、そのような断熱材の一部を除去することや蓋を準備することが不要になる。しかも、断熱材は除去しなくて済むので、断熱材は右扉８内に隙間なく充填でき、右扉８の断熱性を上げることができる。
【００６８】
以上、具体例も含めて実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６９】
例えば、観音開き扉７、８と引出し扉９，１０，１１，１２の各前面には、前面板７Ａ，８Ａ，９Ａ，１０Ａ，１１Ａ，１２Ａが配置されている。しかし、このような前面板を配置せずに、観音開き扉７、８と引出し扉９，１０，１１，１２の各前面は、通常用いられている鋼板であっても良い。
【００７０】
扉に配置される電装品の他の例としては、上述した他に、例えば人の接近を検知する人感センサ、冷蔵庫１が置かれた部屋の環境温度を検知する温度センサ、あるいは人が近づいた時に冷蔵庫１が置かれた部屋を照明する照明具等がある。
【００７１】
また、上述した実施形態では、使用者が、指によりタッチオープンボタン３０を一定時間以下の操作時間であるか、一定時間を超えた操作時間であるかで、左扉７を自動的に開けるか、右扉８を自動的に開けるかで説明している。
【００７２】
しかし、これに限らず、使用者は、指によりタッチオープンボタン３０を一定回数だけ（例えば１回）押すことで、左扉７が自動的に開扉され、指によりタッチオープンボタン３０を、一定回数を超えて（例えば２回）押すことで、右扉８が自動的に開扉される構成にしてもよい。
【００７３】
また、上述した実施形態では、観音開き扉７、８を取り外して片開き扉２００に取り換える例で説明したが、図４に例示する片開き扉の冷蔵庫２０１から片開き扉２００を取り外して、図１と図２に例示したような、観音開き扉７、８を取り付けた冷蔵庫１の構成にしてもよい。
【００７４】
すなわち、図４に示すように、片開き扉２００に、表示パネル部２２０やタッチオープンボタン２３０などの電装品と、これらの電装品に接続する束線２２１、２３１とが配置され、本体１Ａのうち片開き扉２００の回動中心軸Ｃに隣接する部位に、束線２２１、２３１と着脱可能に接続する束線接続部５０が配置され、片開き扉２００が観音開き扉に交換可能な構造にされていてもよい。この場合、ヒンジ部７Ｂを冷蔵庫が予め備えていることが、左扉７（図１参照）を短時間で容易に設置する観点で好ましい。
【符号の説明】
【００７５】
１      冷蔵庫
１Ａ    本体
２      冷蔵室
７      左扉
８      右扉
２０    表示パネル部
２０Ｎ  操作基板
２１    束線
２１Ｒ  接続端部
３０    タッチオープンボタン（開扉ボタン、電装品）
３１    束線
３１Ｒ  接続端部
４０    湿度センサ（電装品）
４１    束線
４１Ｒ  接続端部
５０    束線接続部
１００  制御部
２００  片開き扉
２０１  冷蔵庫
２２０  表示パネル部
２３０  タッチオープンボタン
Ｃ      回動中心軸
【図１】
2019152354.tif 000003
【図２】
2019152354.tif 000004
【図３】
2019152354.tif 000005
【図４】
2019152354.tif 000006
【図５】
2019152354.tif 000007
【図６】
2019152354.tif 000008